(57)【要約】      （修正有）【課題】母親が安心して子どもを保育園、託児所もしくは幼稚園に預けて仕事ができるようにする感情伝達システムを提供する。【解決手段】感情伝達システムには、生体情報計測装置を子どもに取り付け、心拍、皮膚温、呼吸の生体情報を保育園、託児所もしくは幼稚園に置かれた子どもが所有する携帯型の情報処理通信装置に無線によって伝送する。この情報処理通信装置は、心拍、皮膚温、呼吸の生体情報を平常時に蓄積された生体情報と比較することにより、快、不快、要注意の感情を関連付ける機能を併せもつ。子どもの快、不快、要注意の感情は、上記情報処理通信装置によって、母親が働いている職場の情報提示通信装置に伝達される。母親の情報処理通信装置では、子どもの感情状態を音、光もしくは振動の機械的な方法により周知をする。これにより母親が子どもを保育園や託児所に預けて、安心して仕事ができるようになる。【選択図】  図１
2006051317.tif 000002
【特許請求の範囲】
【請求項１】
人の生体情報を測る生体情報計測手段と、前記生体情報計測手段より得られた生体情報を人の感情に関連づける感情情報変換手段と、生体情報及び感情情報を通信する送信手段と、前記送信手段から送信される生体情報及び感情情報を受信する受信手段とを有し、前記受信手段には送信される感情情報を音、光、振動の機械的な手段によって提示できる感情情報表示手段が設けられていることを特徴とする感情伝達システム。
【請求項２】
請求項１の生体情報計測手段には、心拍、皮膚温及び呼吸の計測手段を有し、また請求項１の受信手段には、バイブレータによる提示手段を有することを特徴とする請求項１記載の感情伝達システム。
【請求項３】
請求項１の感情情報変換手段には、あらかじめ人の平常時の生体情報を蓄積しておき、この蓄積された生体情報と請求項１の生体情報計測手段で計測された生体情報とを比較することにより、生体情報を感情情報に関連づけることを特徴とする請求項１記載の感情伝達システム。
【請求項４】
請求項１の情報提示通信装置には、情報提示通信装置から特定の人の生体情報及び感情情報を登録し、請求項１の生体情報計測手段で計測された生体情報及び感情情報変換手段で生体情報から変換された感情情報と、該登録された特定の人の生体情報及び感情情報とを比較することにより、特定の人の平常時に近い感情情報を得ることを特徴とする請求項１記載の感情伝達システム。
【請求項５】
請求項１の生体情報計測手段には、心拍、皮膚温の計測手段を有し、心拍の計測情報から呼吸の生体情報に変換することを特徴とする請求項１記載の感情伝達システム。
【発明の詳細な説明】
【技術分野】
【０００１】この発明は、保育園、託児所もしくは幼稚園に預けた子どもの状態を、働く親が子どもの心拍、皮膚温、呼吸等の生体情報を介して知り、かつ生体情報から関連づけられた子どもの感情を、光、音、振動等の機械的な手段を用いて親に伝達するためのシステムに関するものである。
【背景技術】
【０００２】従来から保育所、託児所もしくは幼稚園に預けた子どもの状態を親が確認する方法は、親が保育所、託児所もしくは幼稚園に電話をかけるしかなかった。この方法では、例えば保育士からの間接的な情報に留まり、親が直接、子どもの状態を確認することができない。【０００３】最近、保育所、託児所もしくは幼稚園にカメラを取り付け、園児の状態を監視することが行われているが、カメラの映像は保育園、託児所、幼稚園内だけで利用されるか、あるいは親に映像を提供するサービスが行なわれようとしているが、特定の子どもを映す仕組みにはなっていない（非特許文献１）。また、子どもにＧＰＳ（全地球位置把握システム）機能のついた装置を持たせて、警備会社を通じて緊急連絡を行なうサービスが行なわれている（非特許文献２）。【０００４】幼児の画像と幼児の呼吸、体温等の状態を離れたところから検出して、管理サーバーに蓄積して、ホームページの育児日記を作成する幼児監視システムに関する出願がある（特許文献１）が、幼児に取り付けたセンサによる正確な測定を行うものではない。【０００５】また、生体情報を得る方法として、乳幼児を撮影して、撮影画像の変化から無呼吸が連続して所定回数発生したことを検出する例（特許文献２）、また、極低出生体重児を導電性繊維のシーツ上に載せ、電位の時間変化と体温の計測結果から心拍数、呼吸数を算出する方法に関する先行例（特許文献３）がある。【０００６】幼児の感情を伝達する例として、幼児の泣き声の音声レベルが所定値を超えた時に、信号を発する出願（特許文献４）がされている。また、コンピュータ操作者の感情の起伏に応じて働く力を圧力センサで検知して、操作者の感性、感情の状態に応じたアプリケーションソフトウエアを提供する感性入力装置および感性推定方法の出願がある（特許文献５）が、人の心拍、皮膚温、呼吸等から生体情報を感情に関連づける先行例はみられない。
【特許文献１】特開２００２−１４９９０９
【特許文献２】特開２００２−３０６４５５
【特許文献３】特開２００２−２２４０５１
【特許文献４】特開２００２−３６７０４９
【特許文献５】特開２００１−０３４４１０
【非特許文献１】パナソニックコミュニケーションズ株式会社「ネットワークカメラ（幼稚園・保育園パック）」、ｈｔｔｐ：／／ｍａｔｓｕｓｈｉｔａ．ｃｏ．ｊｐ／ｃｏｒｐ／ｎｅｗｓ／ｏｆｆｉｃｉａｌ．ｄａｔａ／ｄａｔａ．ｄｉｒ／ｊｎ０４０１３０−２／ｊｎ０４０１３−２．ｈｔｍｌ
【非特許文献２】セコム株式会社「ココセコム（通報サービス）」、ｈｔｔｐ：／／ｗｗｗ．８５５７５６．ｃｏｍ／
【発明の開示】
【発明が解決しようとする課題】
【０００７】少子化の原因として、子育てと育児が両立できないことがあげられる。これは、親が安心して子どもを保育園、託児所もしくは幼稚園に預けて、働くことができないためである。働きながら、保育園、託児所もしくは幼稚園に預けた子どもの健康状態を知ったり、泣いたり、笑ったりしている子どもの快・不快の感情や要注意の感情状態を心拍、皮膚温、呼吸等のデータから知ることができれば、安心して仕事ができるようになる。本発明は、このような課題に対する育児をする親の強い要望に応えるために発明されたものである。
【課題を解決するための手段】
【０００８】そこで、請求項１記載の発明は、負担にならない簡易な生体情報計測装置を子どもに取り付け、生体情報計測装置で測る生体情報（生理データ）を子どものカバン等の携帯物に入った携帯型の通信装置に無線によって伝送する。この通信装置には、子どもの生体情報から、快、不快の感情もしくは要注意の感情状態に関連づけるデータ処理の機能を併せもつものである。子どもの生体情報及び生体情報から関連づけられた快、不快の感情もしくは要注意の感情状態は上記通信装置によって、働いている職場の親の通信装置に伝達される。親の通信装置には、子どもの快、不快の感情、要注意の感情状態を、音、光もしくは振動の機械的な方法により提示できる液晶ディスプレイ、スピーカー、ＬＥＤ（発光ダイオード）等の表示部品が設けられている。【０００９】また、請求項２記載の発明は、請求項１記載の発明の生体情報計測手段として、心拍、皮膚温及び呼吸を、また働く親の受信手段に振動による表示部品としてバイブレータを用いるようにしたものである。【００１０】また、請求項３の発明は、請求項１記載の子ども側の通信装置に、子どもが普段の日常生活をする時（平常時）の心拍、皮膚温及び呼吸の生体情報をあらかじめ蓄積しておき、保育園、託児所もしくは幼稚園における子どもに取り付けた生体情報計測装置から得られる心拍、皮膚温、呼吸の生体情報とあらかじめ蓄積された平常時の生体情報とを比較することにより、快、不快の感情、要注意の感情状態に関連づけるデータ処理の機能を併せもつようにしたものである。【００１１】また、請求項４記載の発明は、請求項１記載の発明の生体情報計測手段として、心拍、皮膚温を用い、呼吸の生体情報は自律神経を介した心拍と呼吸の変動が非常に密接な関係があることを利用して、心拍の生体情報から変換するようにするものである。
【発明の効果】
【００１２】本発明は、保育園、託児所もしくは幼稚園に預けた子どもの状態を、働く親が子どもの心拍、皮膚温、呼吸等の生体情報を介して知り、かつ生体情報から関連づけた子どもの感情を、光、音、振動等の機械的な手段により知ることができるという利点がある。本発明の感情伝達システムを用いることにより、子どもをもつ親が、子どもを保育園、託児所もしくは幼稚園に預けて、子育てをしながら安心して、働くことができるようになる。働きながら子どもを２人もしくは３人以上もつことにより、出生率の向上に寄与する。
【発明を実施するための最良の形態】
【００１３】保育園、託児所もしくは幼稚園に預けた子どもの状態を、働く親が子どもの心拍、皮膚温、呼吸等の生体情報を介して知り、かつ生体情報から関連づけた子どもの感情を、光、音、振動等の機械的な手段により知ることができるようにする、本発明の感情伝達システムの実施例を以下に示す。
【実施例１】
【００１４】図１は本発明の実施例１に係る装置の構成を表す図である。図１において、保育園、託児所もしくは幼稚園に預ける子どもに心拍計、皮膚温度計、呼吸計が組み込まれた、生体情報計測装置１を取り付ける。生体情報計測装置１は近距離のデータ通信機能を併せもつ。生体情報計測装置１の取り付け方法として、腕先に巻き付ける腕バンド、おしめの内側、胸に巻き付ける呼吸バンド、腕時計型等のものがある。生体情報計測装置１の心拍、皮膚温、呼吸の各センサは、センサを一体に取り付けるか、複数の取り付け方法を用いるかの選択をする。生体情報計測装置１を取り付けた子どもは、無意識に心拍、皮膚温、呼吸を計測される。計測された心拍、皮膚温、呼吸のデータは無線により、保育園、託児所もしくは幼稚園に置かれた子どものカバン等に入った携帯型の情報処理通信装置２に送信される。生体情報計測装置１としては、できるだけ子どもへの取り付けが負担にならない心拍計、皮膚温計、呼吸計を選択しているが、常時計測でなければ、精度の高い計測が行なえる指尖容積脈波計（指先にセンサを取り付けて、一心拍毎の血圧を連続測定する）や皮膚電気抵抗計（手のひらにセンサを取り付けて、手のひらの電気抵抗を測定する）を用いて計測することもできる。【００１５】図２は生体情報計測装置１の機能ブロック図を表している。子どもの身体に取り付けた心拍計測部４、皮膚温計測部５、呼吸計測部６から取得された生体情報は、発信部７を介して、情報処理通信装置２に無線により送信される。【００１６】図３は情報処理通信装置２の機能ブロック図を表している。情報処理通信装置２は生体情報計測装置１から送信される生体情報の受信部８、受信された生体情報を蓄積する生体情報蓄積部９、生体情報蓄積部９から生体情報を引き出し、心拍、皮膚温、呼吸の平常時生体情報蓄積部１０の平常時生体情報との比較から、子どもの快、不快の感情、もしくは要注意の感情状態であるかを関連づける情報変換部１１、情報変換部１１で変換された感情情報を蓄積する感情情報蓄積部１２、生体情報蓄積部９及び感情情報蓄積部１２の情報を保育園、託児所もしくは幼稚園の外部に送信する送信部１３から構成される。【００１７】生体情報の変化から、快、不快の感情、注意を要する状態を関連づける方法としては、情動（比較的急激に生じる持続時間の短い感情）刺激を行なった実験を行い、ビデオに録画した個人の快画像、不快画像、中性画像別に一定時間の脈拍数を抽出して、被験者全員の平均的な脈拍数の変化から、快、不快の感情、要注意の状態を関連づけることができる。皮膚温についても、手の付近は汗腺の密度が高く、精神的な刺激による発汗が顕著であるため、発汗による皮膚温の低下を測定することにより、不快感や異常な状態の関連づけができる。【００１８】図１に戻り、情報処理通信装置２から、子どもの生体情報及び感情情報が、職場で働く母親（父親であってもかまわない）の情報提示通信装置３に送信される。情報提示通信装置３には液晶ディスプレイ、スピーカー、ＬＥＤ（発光ダイオード）、バイブレータ等の音、光、振動の表示装置を付属する。母親は情報提示通信装置３に表示される子どもの心拍、皮膚温、呼吸の生体情報から子どもの健康状態を知ることができ、感情情報から、子どもの快、不快、要注意の感情状態でないかを知ることができる。母親（父親であってもかまわない）は、仕事を行なっているため、子どもの生体情報及び感情情報を常に見ることができず、休憩時間や移動時間に呼び出して見ることになる。このため、子どもが不快や要注意の感情状態にあることを知るのが遅れる。このため、子どもの快、不快、要注意の感情情報の内容や程度を音、光、振動の機械的な手段を用いて知らせる。このための情報提示通信装置３として、携帯電話、ＰＨＳ（簡易型携帯電話）、ＰＤＡ（携帯情報端末）、パーソナルコンピュータを用いることができる。【００１９】図４は情報提示通信装置３の機能ブロック図を表している。情報処理通信装置２の送信部１３から送信される子どもの生体情報及び感情情報を受信部１４で受信し、表示画面１５にデータを表示するとともに、感情情報は内容、程度に応じて周波数、強度の異なるバイブレータ１６の振動により知らせる。
【実施例２】
【００２０】図５は情報提示通信装置３の別の機能ブロック図を表す。情報処理通信装置２の送信部１３から送信される子どもの生体情報及び感情情報を受信部１４で受信し表示画面１５にデータを表示するとともに、感情情報はバイブレータ１６の振動に加えて、内容、程度に応じたＬＥＤ（発光ダイオード）１７の光の色と強弱、スピーカ１８の音の種類と大小により知らせる。【００２１】例として、情報提示通信装置３として現在の携帯電話を利用した場合について記載する。携帯電話のバイブレータ機能・ディスプレイ機能・イルミネーション機能を利用して情報を提示する。親は受信したい情報の種類を、受信モードとしてあらかじめ選択しておく。受信モードには感情情報モード、生体情報モード（呼吸モード・心拍モード・熱モード等）を設けておく。感情情報モードと生体情報モードは、感情情報モード／生体情報モード切替装置１９でいずれかを選択する。感情情報モードでは子供の状態を、ご機嫌・睡眠・ぐずり・泣き（おむつ・まんま）・怒り・おしゃべり等に分類し、それぞれを異なるバイブレータパターン・イルミネーションパターンなどで周期的／非周期的に継続して提示する。必要となる感情情報モードは、子どもの年齢によって異なるので、新生児用・乳児用・幼児用・児童用等に分けてあらかじめ用意しておき、感情モード切替装置２０によって、新生児用・乳児用・幼児用・児童用に切り替える。また、必要とする生体情報モードは、生体情報モード切替装置２１を用いて、呼吸用・心拍用・熱用に切り替える。【００２２】一方、生体情報の各モードでは、心拍や呼吸であれば心拍・呼吸のピークに同期してバイブレータを動かす、また熱であれば温度に応じてバイブレータの周期を変化させるなどして、感情情報だけでなく生体情報についてもバイブレータ、光、音の機械的手段を用いて提示することができる。心拍や呼吸の波形やタイミングを信号として送信すると冗長になるので、通信には心拍数や呼吸数データを通信し、これを情報提示通信装置３でバイブレータの振動に変換し、提示するようにする。【００２３】親の使い方としては、普段は感情情報モードにしておき、子どもの状態が通常と異なるような場合には、呼吸モード等の生体情報モードに変えて子どもの状態をリアルタイムに観察することなどが考えられる。あるいは、乳児など年齢の低い子供では生体情報そのものが子どもの機嫌を直接に表すので、普段から生体情報モードにしておいてリアルタイムで子どもの状態を体感するだけでも、親にとっては大変な安心感を得られるものである。また、詳細情報が見たいときは、表示画面を開けると、感情情報や生体情報が数値や文字で提示されるようにしておく。
【実施例３】
【００２４】図６は情報提示通信装置３の別の機能ブロック図を表す。図６では情報提示通信装置３から、平常時の感情情報を教示する例を示している。親は本システムの利用中に入力ボタン２２を操作して、被計測者特有の生体情報と感情情報を生体情報・感情情報登録装置２３に登録しておく。情報処理通装置２の送信部１３から送信される子どもの生体情報及び感情情報を受信部１４で受信し、受信した子どものリアルタイムの生体情報と感情情報は、感情情報推定処理装置２４に送られ、生体情報・感情情報登録装置２３に登録された自分の子ども特有の生体情報及び感情情報を比較・参照することにより、感情情報を子どもの平常時に近い状態に推定処理を行う。このように補正された子どもの平常時に近い感情情報は、感情情報推定処理装置２４から、表示画面１５にデータを表示するとともに、バイブレータ１６の振動の周波数や強弱、ＬＥＤ（発光ダイオード）１７の光の色と強弱、スピーカー１８の音の種類と大小により知らせる。このようにして、この親は本システムの利用中に、子どもの生体情報と感情情報を関連づける指示を携帯電話等の情報提示通信装置３から行うことにより、その子ども特有の生体情報と感情情報を登録し、感情情報の推定処理を子ども毎にチューニングすることができる。
【実施例４】
【００２５】図７は生体情報計測装置１の別の機能ブロック図を表している。子どもの身体に取り付けられた心拍計測部４、皮膚温計測部５から取得された生体情報は、発信部７を介して、情報処理通信装置２に送信される。【００２６】図８は情報処理通信装置２の別の機能ブロック図を表している。情報処理通信装置２は生体情報計測装置１から送信される生体情報の受信部８、受信された心拍計測情報を呼吸情報に変換する呼吸情報変換部２５、受信された生体情報及び呼吸情報変換部で変換された呼吸情報を蓄積する生体情報蓄積部９、生体情報蓄積部９から生体情報を引き出し、心拍、皮膚温、呼吸の平常時生体情報蓄積部１０の平常時生体情報との比較から、子どもの快、不快の感情、もしくは要注意の感情状態であるかを関連づける情報変換部１１、情報変換部１１で変換された感情情報を蓄積する感情情報蓄積部１２、生体情報蓄積部９及び感情情報蓄積部１２の情報を保育園、託児所もしくは幼稚園の外部に送信する送信部１３から構成される。
【産業上の利用可能性】
【００２７】  保育園、託児所もしくは幼稚園にいる子ども（園児）に、本発明の生体情報計測装置を取り付け、生体情報計測装置の生体情報と、生体情報と関連づけられた感情情報を、職場で働く母親の携帯電話、ＰＨＳ（簡易型携帯電話）、ＰＤＡ（携帯情報端末）、パーソナルコンピュータ等の情報端末に送信することにより、母親が子どもの健康状態、感情状態を確認できる。このようにすることによって、子どもをもつ親が、子どもを保育園、託児所もしくは幼稚園に預けて、子育てをしながら安心して、働くことができるようになる手段を提供できるため、子どもを生む母親が増え、人口増加につながる。【００２８】本発明の感情伝達システムは、少子化対策だけに留まらず、独居老親に子どもと同じような使い方をすることにより、親の状態を確認でき、家族が安心して働くことができるようなシステム、及び介護施設の要介護者に生体情報計測装置及び情報処理伝達装置を適用することにより、要介護者の状態を確認でき、家族が安心して働くことができるようなシステムにも使用できる。また被計測者の平常時の生体情報・感情情報を登録できるため、子供・要介護者の状態の遠隔観測だけでなく、成人が自分の身体に装着して自分自身の健康管理に使うこともできるし、さらに犬や猫などペットの状態を確認するためにも利用できることは言うまでもない。
【図面の簡単な説明】
【図１】本発明の実施例１に係る感情伝達システムの装置の構成を表す図である。
【図２】図１に示す生体情報計測装置の機能ブロック図である。
【図３】図１に示す情報処理通信装置の機能ブロック図である。
【図４】図１に示す情報提示通信装置の機能ブロック図である。
【図５】図１に示す情報提示通信装置の別の機能ブロック図である。
【図６】図１に示す情報提示通信装置の別の機能ブロック図である。
【図７】図１に示す生体情報計測装置の別の機能ブロック図である。
【図８】図１に示す情報処理通信装置の別の機能ブロック図である。
【符号の説明】
１  生体情報計測装置
２  情報処理通信装置
３  情報提示通信装置
４  生体情報計測装置の心拍計測部
５  生体情報計測装置の皮膚温計測部
６  生体情報計測装置の呼吸計測部
７  生体情報計測装置の発信部
８  情報処理通信装置の受信部
９  情報処理通信装置の生体情報蓄積部
１０  情報処理通信装置の平常時生体情報蓄積部
１１  情報処理通信装置の情報変換部
１２  情報処理通信装置の感情情報蓄積部
１３  情報処理通信装置の送信部
１４  情報提示通信装置の受信部
１５  情報提示通信装置の表示画面
１６  情報提示通信装置のバイブレータ
１７  情報提示通信装置のＬＥＤ（発光ダイオード）
１８  情報提示通信装置のスピーカー
１９  情報提示通信装置の感情情報モード／生体情報モード切替装置
２０  情報提示通信装置の感情情報モード切替装置
２１  情報提示通信装置の生体情報モード切替装置
２２  情報提示通信装置の入力ボタン
２３  情報提示通信装置の生体情報・感情情報登録装置
２４  情報提示通信装置の感情情報推定処理装置
２５  情報処理通信装置の呼吸情報変換部
【図１】
2006051317.tif 000003
【図２】
2006051317.tif 000004
【図３】
2006051317.tif 000005
【図４】
2006051317.tif 000006
【図５】
2006051317.tif 000007
【図６】
2006051317.tif 000008
【図７】
2006051317.tif 000009
【図８】
2006051317.tif 000010